(57)【要約】腱の垂直切開のための切断ツールは、長手方向軸（２ａ）に沿って延在し且つ遠位端（２ｄ）および近位端（２ｐ）を有するシャフト（２）と、複数のブレード（１１、１５）を有する、遠位端（２ｄ）に近い切断ヘッド（９）とを備える。切断ヘッド（９）が、シャフト（２）の長手方向軸（２ａ）に平行な平面上にあり且つ長手方向軸（２ａ）に対して１０°から２０°の角度（α）だけ傾斜したカップリング（１６）によってシャフトに接続される。
2021536337.tif 000002
【特許請求の範囲】
【請求項１】
腱の垂直切開のための切断ツールであって、
長手方向軸（２ａ）に沿って延在し且つ遠位端（２ｄ）および近位端（２ｐ）を有するシャフト（２）と、
複数のブレード（１１、１５）を有する、前記遠位端（２ｄ）に近い切断ヘッド（９）と、を備え、
前記切断ヘッド（９）が、前記シャフト（２）の前記長手方向軸（２ａ）に平行な平面上にあり且つ前記長手方向軸（２ａ）に対して１０°から２０°の角度（α）だけ傾斜したカップリング（１６）によって前記シャフトに接続される、切断ツール。
【請求項２】
前記切断ヘッド（９）が、使用構成において、前記シャフト（２）の前記長手方向軸（２ａ）の下に位置する、請求項１に記載の切断ツール。
【請求項３】
前記切断ヘッド（９）がベースプレート（１０）および上部ブレード（１５）を備え、前記ベースプレート（１０）から２つの半円形の側方ブレード（１１）が突出し、前記ベースプレート（１０）に直交し且つ互いに平行な平面に沿って延び、前記上部ブレード（１５）は、前記ベースプレート（１０）の上部エッジ（１４）に沿って配置され、前記２つの側方ブレード（１１）に直交する、請求項２に記載の切断ツール。
【請求項４】
前記２つの半円形の側方ブレード（１１）および前記上部ブレード（１５）がそれぞれ面取りされたエッジ（１１ｂ、１５ｂ）を有する、請求項３に記載の切断ツール。
【請求項５】
前記切断ヘッド（９）が、使用構成において逆Ｕ字形の断面を有する、請求項４に記載の切断ツール。
【請求項６】
前記シャフト（２）が前記切断ヘッド（９）と一体である、請求項１から５のいずれか１項に記載の切断ツール。
【請求項７】
前記切断ツールは把持ハンドピース（４）に結合することができる、請求項１から６のいずれか１項に記載の切断ツール。
【請求項８】
前記シャフト（２）が、前記把持スリーブ（４）への安定した結合のためのノッチ（５）を有する、請求項７に記載の切断ツール。
【請求項９】
前記シャフト（２）が、前記シャフト（２）と前記把持スリーブ（４）との間の相対回転を防止するために平坦な表面（６）を有する、請求項７に記載の切断ツール。
【請求項１０】
前記シャフト（２）が目盛りを刻んだスケール（７）を有する、請求項１から９のいずれか１項に記載の切断ツール。
【請求項１１】
前記シャフト（２）が、前記把持ハンドピース（４）との正しい位置合わせおよび手術部位への前記ツールの正しい挿入を支援するための配向インジケータ（８）を有する、請求項１から１０のいずれか１項に記載の切断ツール。
【発明の詳細な説明】
【技術分野】
【０００１】
本発明は、腱の垂直切開のための切断ツールに関する。
【背景技術】
【０００２】
本発明の主題である切断ツールは、大腿四頭筋腱の垂直皮下切開を目的としており、知られているように、大腿四頭筋腱は、十字靭帯の再建に重要な利益をもたらす。
【０００３】
実際、大腿四頭筋腱は他の腱よりも大きな直径に達することができ、その摘出部位は、例えば膝蓋腱と比較して低い罹患率を持ち、良好な生体力学的特性を持ち、ひずみや変形が起こり難いので、膝靭帯の再建に好ましい剛性プロファイルを持つ。
【０００４】
大腿四頭筋腱を切断および取り除くための外科的技術は、膝蓋骨の上縁部の上方の皮膚切開を伴う。
【０００５】
皮下切開後、大腿四頭筋腱を露出させるために、膝蓋前皮下包の層は長手方向に裂かれる。
【０００６】
その後、十字靭帯の再建のための所望の幅の腱が、垂直切断ツールまたは腱ナイフで切開される。
【０００７】
皮膚切開部を通して、垂直切開のための切断ツールは皮下位置で腱に適用され、移植のための所望の移植片の長さが達成されるまで、腱に近位に押し込まれる。したがって、腱は完全に切断されるのではなく、側部で切開される。
【０００８】
手術の第２のステップは、腱自体の伸展軸に平行に、腱を水平に切断することを伴う。このステップでは、取り除かれる腱の部分が、第２の切断ツールによって、上下の周囲の軟組織から分離される。腱分離器としても知られている水平切開用のこの切断ツールは、取り除かれる腱／移植片の厚さを規定する。
【０００９】
皮膚切開部を通して、水平切開用の切断ツールすなわち腱分離器は、腱の切開部に横方向に導入され、近位方向に前記同じ長さに沿って皮下に押し込まれ、腱の伸展方向に沿って、上部および下部で水平に腱を切断する。
【００１０】
第３のステップは、腱の近位端を横方向に切り離すように適合された第３のツール（腱カッター）の再び皮下への挿入を伴い、ここで「近位」は患者を指す。
【００１１】
最後に、腱の遠位端も切断され、その後取り除かれ、十字靭帯の再建に使用するために準備される。
【００１２】
具体的には、本発明は、腱の垂直切開のための切断ツールに関し、したがって、手術の第１のパートで使用される切断ツールに関する。
【００１３】
既知の外科的技術は、切開外科的処置を必要とし、使用されるツールは、腱自体を摘出するプロセスを困難にする。
【００１４】
最新技術のいくつかは皮下に関する解決策を提供するが、それらはツールを使用する方法および設計のために依然として困難を示す。現在使用されているツールに見られる不利な点のいくつかは、制御されておらず且つ寸法的に不正確な採取につながる不安定な切断先端部を含む。一方、他のツールは、切断エッジの長方形の形状のため、切断抵抗がより大きい切断ヘッドを備える。
【発明の概要】
【００１５】
本発明の目的は、上記の従来技術の欠点を克服する、腱の垂直切開のための切断ツールを提示することである。
【００１６】
実際、本発明の目的の１つは、低侵襲であり、周囲の軟組織に損傷を与えることなく患者のための完全に安全な切断を確実にする、腱の垂直切開のための切断ツールを提案することである。
【００１７】
さらに、本発明の目的は、外科医が使用しやすく、手術部位が外科医に良好な視認性を許容しないにもかかわらず迅速、安全、安定且つ正確な切断を可能にする、腱の垂直切開のための切断ツールを提案することである。
【００１８】
本発明の別の目的は、腱自体の容易な摘出を可能にするだけでなく、手術後の美容的側面を維持することを可能にする、腱の垂直切開のための切断ツールを提案することである。
【００１９】
これらおよび他の目的は、添付の特許請求の範囲の請求項の１つまたは複数に記載されているように、腱を垂直切開するための切断ツールによって実質的に達成される。
概要
特に、第１の態様によれば、本発明は、腱の垂直切開のための切断ツールに関する。
【００２０】
好ましくは、遠位端および近位端を有する、長手方向軸に沿って延びるシャフトが想定される。
【００２１】
好ましくは、切断ツールはまた、複数のブレードを有する、前記遠位端の近くに配置された切断ヘッドを備える。
【００２２】
有利には、切断ヘッドは、前記シャフトの長手方向軸に平行な平面上にあり、長手方向軸に対して１０°から２０°、好ましくは１５°の角度で傾斜したカップリングによってシャフトに接続される。切断ヘッドの横たわっている面は、シャフトの横たわっている面に対してずれており、且つ平行である。
【００２３】
切断ヘッドは、使用中、好ましくは、シャフトの長手方向軸の下に位置する。
【００２４】
前記切断ヘッドは、好ましくは、ベースプレートおよび上部プレートを備え、ベースプレートから２つの半円形（または丸みを帯びた）側方ブレードが突出し、前記ベースプレートに対して直交し且つ互いに平行な平面に沿って延びており、上部プレートは、前記側方ブレードに直交し、前記切断ヘッドのベースプレートの上部エッジに沿って配置されている。
【００２５】
好ましくは、半円形の側方ブレードおよび上部ブレードはそれぞれ、面取りされたエッジを有する。
【００２６】
使用中、切断ヘッドは、好ましくは、逆Ｕ字形の断面を有する。
【００２７】
シャフトは、好ましくは、前記切断ヘッドと一体である。
【００２８】
シャフトは、好ましくは、外科医の把持を容易にするために把持ハンドピースに結合することができる。
【００２９】
シャフトは、好ましくは、把持スリーブへの安定した結合のためのノッチを有する。
【００３０】
シャフトはまた、好ましくは、シャフトと把持スリーブとの間の相対回転を回避するために、平坦な表面を有する。
【００３１】
シャフトは、好ましくは、その長手方向の伸展に沿って目盛りを刻んだスケールを有する。
【００３２】
シャフトは、好ましくは、把持ハンドピースとの正しい位置合わせおよび手術部位へのツールの正しい挿入を支援するための配向インジケータを有する。
【００３３】
追加の特徴および利点は、本発明および従属請求項による、腱の垂直切開のための切断ツールの好ましいが排他的ではない実施形態の説明においてより詳細に明らかになるであろう。
【図面の簡単な説明】
【００３４】
本発明は、例としてのみ提供される添付の図面を参照して、以下の詳細な説明によってより明確にされるであろう。
【図１】本発明による腱の垂直切開のための切断ツールの斜視図を示す。
【図２】図１に示される切断ツールの一部の斜視図を示す。
【図３】図２に示されているように、本発明の主題である切断ツールの側面図である。
【図４】図２に示されているように、本発明の主題である切断ツールの上面図である。
【図５】図２に示されているように、本発明の主題である切断ツールの正面図である。
【図６】製造ステップで示される、本発明の主題である切断ツールの部分分解図である。
【発明を実施するための形態】
【００３５】
上記の図において、番号１は、本発明による腱の垂直切開のための切断ツール全体を示す。
【００３６】
示されている例では、ツール１は、大腿四頭筋腱がその解剖学的部位から取り除かれて十字靭帯の再建のために別の部位に移植される手術の実施中に使用されるのに適している。
【００３７】
切断ツール１は、長手方向軸２ａに沿って延在し且つ遠位端２ｄおよび近位端２ｐを有するシャフト２を備える。
【００３８】
「遠位」および「近位」という用語は、外科医に対する近接を示す。したがって、「近位」端は外科医の手に最も近い端であり、「遠位」端は外科医の手から最も遠い端である。
【００３９】
近位端２ｐは、切断ツール１のハンドルとして機能する把持スリーブ４に接続することができる。近位端２ｐの近くに、シャフト２は、シャフト２自体を把持スリーブ４のロック機構と安定して結合するためのノッチ５を有する。このようにして、結合後、把持スリーブ４とシャフト２との間の軸２ａに沿った軸方向の滑りが防止される。
【００４０】
さらに、近位端２ｐにおいて、シャフト２は、長手方向軸２ａ周りのシャフト２と把持スリーブ４自体との間の相対回転を回避するために、把持スリーブ４の内側の当接部と結合する平坦な切断面６を有する。
【００４１】
シャフト２は、ツールの皮膚への挿入の深さに関する基準を持ち、どの深さまで切り込みを入れるかを知り、摘出物（harvesting）の長さ、したがって摘出される軟組織の長さの表示を持つように、側面２ｃの長手方向の伸展に沿って目盛りを刻んだスケール７を有する。
【００４２】
近位端２ｐの近くに、把持ハンドピース４との正しい位置合わせおよび手術部位内へのツール１の正しい挿入を支援するための配向インジケータ８もある。
【００４３】
遠位端２ｄの近くに、切断ツール１はまた、複数のブレード１１、１５を有する切断ヘッド９を備える。
【００４４】
具体的には、切断ヘッド９は、平坦な水平のベースプレート１０を有し、その長手方向軸９ａは、シャフト２の長手方向軸２ａに平行である。
【００４５】
切断ヘッド９は、２つの半円形または丸みを帯びた側方ブレード１１を備え、これらの側方ブレード１１は、互いに平行であり且つ長手方向軸２ａに平行な平面に沿って延びる。これらの側方ブレード１１は、図１および２に示されるように、使用構成において下向きに、垂直方向に平面１０から直角に突出している。
【００４６】
円形の２つの側方ブレード１１は、軟組織の細長いストリップ（strip）を切断するために、軟組織の垂直切断に適している。
【００４７】
半円形の側方ブレード１１は、面取りされたエッジ１１ｂを有する。
【００４８】
側方ブレード１１の内面２０間の距離は、採取される軟組織の所望の部分の幅を規定する。
【００４９】
側方切断ブレード１１の面取りされたエッジ１１ｂと丸みを帯びた設計との組み合わせは、軟組織へのブレードの挿入を改善する。さらに、これらの設計の特徴は、軟組織の抵抗が減少するため、採取中のツールの前進（および後退）を大幅に改善する。
【００５０】
他方、切り込みの高さは、側方ブレード１１の高さによって、特に、各側方円形ブレード１１の下部頂点１２と切断ヘッド９の水平のベースプレート１０の下面１３との間の距離によって、規定される。
【００５１】
切断ヘッド９はまた、ベースプレート１０の遠位端１０ｄに配置された上部エッジ１４を有する。
【００５２】
このエッジ１４は、円形側方ブレード１１に直交している。このエッジ１４には、上部ブレード１５があり、上部ブレード１５も側方ブレード１１に直交する。上部ブレード１５はまた、面取りされたエッジ１５ｂを有する。
【００５３】
上部ブレード１５およびその面取りされたプロファイルは、ツールが手術部位内で前進するときに軟組織の剥離並びにツールの挿入および前進を容易にする。
【００５４】
言い換えれば、前部位置に配置されると、上部ブレード１５の前部ベベルは、腱の上の軟組織を持ち上げるのを支援し、ツールのスライドを容易にする。ブレードの傾斜が外科医の労力をかけずに腱に徐々に影響を与えるからである。
【００５５】
断面において、切断ヘッド９は、逆Ｕ字形を有する（使用中）。
【００５６】
シャフト２は、遠位位置において、１０°から２０°、好ましくは１５°の角度α、長手方向軸２ａに対して傾斜したカップリング１６を有する。
【００５７】
このカップリング１６は、シャフト２を切断ヘッド９に接続する。
【００５８】
切断ヘッド９が接合されるカップリング１６の傾斜を受けて、使用中、切断ヘッド９は、シャフト２の長手方向軸２ａの下に位置する。
【００５９】
長手方向軸２ａに対する切断ヘッドの位置および傾斜は、膝蓋骨の上縁部へのツールの挿入および使用を容易にする。ずれた平面上のシャフト２および切断ヘッド９の位置は、切断中にシャフトが腱に接触しないことを確実にする。
【００６０】
切断ヘッド９は、ツール自体の製造中にスロット１８に挿入される突起１７を有する。
【００６１】
突起１７はまた、切断ヘッド９の長手方向軸９ａに対して、上記の角度αと同じ幅を有する角度Ωだけ、すなわち、１０°から２０°、好ましくは１５°だけ傾斜している。
【００６２】
次に、２つの部品がしっかりと結合され、その結果、シャフト２と切断ヘッド９が単一の分割できない本体となる。
【００６３】
このタイプのカップリングは、切断ヘッド９をシャフト２とさらに安定させる。
【００６４】
さらに、切断ヘッドが製造プロセスの終了前のようにシャフトから分離されて表されている図６に見られるように、シャフト２は、遠位端２ｄに、ツール自体の安定性を高めるノーズ１９を有する。安定性の向上は、ノーズ１９が使用中に切断ヘッド９の堅固な垂直ストッパとして機能するためであり、切断ヘッド９とシャフト２との間の接続点で正確に動作する。
【００６５】
使用中、切断ツール１は、軟組織を軸方向に採取するために、専用ハンドルまたは把持ハンドピース４に軸方向に挿入される。
【００６６】
ツール１の切断ブレードの先端部は、採取のために所望の軟組織に軸方向に挿入されなければならない。
【００６７】
挿入されると、切断ツール１は、事前に規定された幅および高さで軟組織のストリップを横方向に切断するように、軟組織を通って進められなければならない。ツールは、シャフト２に配置された目盛りを刻んだスケール７を介して制御することができる、事前に確立された深さまで進められる。
【００６８】
面取りされたエッジを備えた半円形の側方ブレード１１は、軟組織へのより良い侵入を可能にし、順方向および逆方向の両方で遭遇する抵抗を少なくする。
【００６９】
このツールで得られる利点は、切断ヘッドがシャフトにしっかりと接続された単一ユニット設計による、ツールのより良い取り扱いと安定性である。
【００７０】
さらに、側方ブレードの円形形状は、軟組織の至るところで前後の切断を改善する。
【００７１】
シャフトと切断ヘッドとの間のオフセット位置、およびカップリングとシャフトとの間の傾斜は、膝蓋骨の上縁部へのツールの挿入を容易にする。
【００７２】
上部ブレードの遠位ベベルは、軟組織を剥離する能力が向上した結果として、ツールを前進させるのを支援する。
【００７３】
このように、このツールは簡単に使用できる。ツールの滑らかさが増し、軟組織の剥離が容易になるので、手術の長さが大幅に短縮される。
【００７４】
このように製造および設計されたツールは、腱の許容できない摘出の可能性を減らすことにより、切断の安定性を改善する。丸みを帯びた／円形のブレードおよびブレードの面取りされたエッジは、前後に切断する能力を高め、したがって、従来技術で遭遇する欠点を克服する。
【図１】
2021536337.tif 000003
【図２】
2021536337.tif 000004
【図３】
2021536337.tif 000005
【図４】
2021536337.tif 000006
【図５】
2021536337.tif 000007
【図６】
2021536337.tif 000008
【国際調査報告】
2021536337.tif 000009
2021536337.tif 000010
2021536337.tif 000011